(57)【要約】【課題】怪我や病気の患者を搬送したり寝かせるためのベッドや車椅子のパイプ構成物に対して簡単に取付けることができ、輸液を点滴した患者の移動が安全かつ省力適に行える点滴用容器の取付け具を提供する。【解決手段】取付け具１は、伏倒Ｌ状に形成された取付け具本体２の下端部に、螺軸５と、前記螺軸５に外嵌螺合し、回動によって上下動するナット部材６と、前記螺軸５の下端部に取付けた拡張子７と、前記螺軸５の拡張子７とナット部材６の間に上下動自在となるよう取付けられたチャッキング部材８からなり、パイプ構成物の縦孔に対して上部から抜き差しでき、縦孔内での拡径によってパイプ構成物に固定する固定機構３を設け、前記取付け具本体２の先端部に点滴用容器の取付け機構４が設けられている。【選択図】図１
2007301072.tif 000002
【特許請求の範囲】
【請求項１】
伏倒Ｌ状に形成された取付け具本体の下端部に、パイプ構成物の縦孔に対して上部から抜き差し自在となり、縦孔内での拡径によってパイプ構成物に固定する固定機構を設け、前記取付け具本体の先端部に点滴用容器の取付け機構を設けた点滴用容器の取付け具。
【請求項２】
上記固定機構が、取付け具本体の下端部に同軸心状に突設した螺軸と、前記螺軸に外嵌螺合し、回動によって上下動するナット部材と、前記螺軸の下端部に取付けた拡張子と、前記螺軸の拡張子とナット部材の間に上下動自在となるよう取付けられたチャッキング部材とからなり、このチャッキング部材が、螺軸に外嵌する頭部の下面に、拡張子に外嵌する内径とパイプ構成物の縦孔に差し込むことのできる外径を有し、軸方向の切れ目によって複数の弾性片に分割した差込み筒を設けて形成され、前記チャッキング部材に対して拡張子が上昇することで弾性片の配置径が拡径するようになっている請求項１に記載の点滴用容器の取付け具。
【請求項３】
上記点滴用容器の取付け機構が、前記取付け具本体の先端部にベース部材を介して左右一対の掴持片を開閉自在となるよう取付け、この掴持片に左右にばねで常時開く方向の弾性を付勢し、前記ベース部材に掴持片の間隔を閉じるための固定具を設けて形成されている請求項１又は２に記載の点滴用容器の取付け具。
【発明の詳細な説明】
【技術分野】
【０００１】
この発明は、点滴用容器の取付け具、更に詳しくは、怪我や病気の患者を搬送したり寝かせるためのベッドや車椅子に取付け、患者に輸液を点滴するための点滴用容器を装着するために用いる取付け具に関する。
【背景技術】
【０００２】
一般的に患者に輸液を点滴する場合、点滴スタンドをベッドの近傍に配置し、点滴スタンドの上端に設けた吊り下げアームに輸液容器を吊り下げて行うようにしている。
【０００３】
従来の点滴スタンドは、接地脚やこれにキャスターを付けたべース部材の上面に上下に伸縮自在の支柱を立設し、この支柱の上端に吊り下げアームを設けた構造になっており、ベッドの近傍に配置して使用される。
【０００４】
ところで、怪我や病気の患者に点滴を施している状態で患者を移送したり移動させなければならない事態が往々にしてある。具体的な例としては、救急車で送られてきた重症患者の病院内への搬入時や、入院患者の診察や検査、手術等におけるベッドでの移動、車椅子利用者による用便時の移動等を挙げることができる。
【発明の開示】
【発明が解決しようとする課題】
【０００５】
上記のように、ベッドの近傍に配置して使用される従来の点滴スタンドでは、点滴を施している状態で患者をベッドに載せて移送したり移動させるときに、点滴スタンドを手で持ってベッドと一緒に移動させなければならず、このため、点滴状態の維持のために点滴スタンドを手で持ってベッドと一緒に移動するための人手が必要になり、そのための人員を確保しなければならないという問題がある。
【０００６】
また、患者とチューブでつながっている点滴スタンドを手に持って、ベッドに合わせて移動する場合、移動時にチューブをものに引っ掛けないようにしたり、ベッドと等速で移動しなければならないので、細心の注意をはらう必要があり、医療現場においてその改善が望まれているのが現状である。
【０００７】
そこで、この発明の課題は、怪我や病気の患者を搬送したり寝かせるためのベッドや車椅子のパイプ構成物に対して簡単に取付けることができ、輸液を点滴した患者の移動が安全かつ省力適に行える点滴用容器の取付け具を提供することにある。
【課題を解決するための手段】
【０００８】
上記のような課題を解決するため、この発明は、伏倒Ｌ状に形成された取付け具本体の下端部に、パイプ構成物の縦孔に対して上部から抜き差し自在となり、縦孔内での拡径によってパイプ構成物に固定する固定機構を設け、前記取付け具本体の先端部に点滴用容器の取付け機構を設けた構成を採用したものである。
【０００９】
上記固定機構が、取付け具本体の下端部に同軸心状に突設した螺軸と、前記螺軸に外嵌螺合し、回動によって上下動するナット部材と、前記螺軸の下端部に取付けた拡張子と、前記螺軸の拡張子とナット部材の間に上下動自在となるよう取付けられたチャッキング部材とからなり、このチャッキング部材が、螺軸に外嵌する頭部の下面に、拡張子に外嵌する内径とパイプ構成物の縦孔に差し込むことのできる外径を有し、軸方向の切れ目によって複数の弾性片に分割した差込み筒を設けて形成され、前記チャッキング部材に対して拡張子が上昇することで弾性片の配置径が拡径するようになっている構造とすることができる。
【００１０】
また、上記点滴用容器の取付け機構が、前記取付け具本体の先端部にベース部材を介して左右一対の掴持片を開閉自在となるよう取付け、この掴持片に左右にばねで常時開く方向の弾性を付勢し、前記ベース部材に掴持片の間隔を閉じるための固定具を設けて形成されているようにすることができる。
【００１１】
ここで、取付け具本体は、金属パイプを用いて略直角に折り曲げ加工され、その下端部に螺軸を溶接により固定すると共に、この螺軸に外嵌螺合したナット部材は、上半部が取付け具本体の下端部に外嵌する縦孔を有し、下半部が螺軸に螺合するねじ孔を有する上下に長い円軸状に形成され、回動操作が手で握って円滑に行えるようになっている。
【００１２】
また、チャッキング部材は、頭部がナット部材と略同様の外径を有する円板状で、軸心に螺軸へ外嵌する透孔が設けられ、前記頭部の下面で透孔の周囲から円筒状の差込み筒が一体に設けられ、この上下に長い差込み筒が軸方向の切れ目によって複数の弾性片に分割されている。
【００１３】
上記螺軸の下端に固定した拡張子は、下端の最大径がチャッキング部材の内径より少し大径のテーパー状に形成され、チャッキング部材をパイプ構成物の縦孔内に挿入して頭部を縦孔の上端に当接させた状態で、ナット部材のねじ込みにより回すとチャッキング部材を反力として、取付け具本体と共に拡張子が上昇し、パイプ構成物内で弾性片の配置径を拡径することでパイプ構成物に対する固定が得られることになる。
【発明の効果】
【００１４】
この発明によると、先端部に点滴用容器の取付け機構を設けた取付け具本体の下端部に、パイプ構成物の縦孔に対して上部から差し込んで固定する固定機構を設けたので、パイプ構成物であるベッドや車椅子に対して簡単に取付けることができ、これによって、患者を運ぶベッドや車椅子に点滴用容器を装着でき、輸液を点滴した患者の移動時に人が点滴スタンドを持ち運ぶ必要がなくなり、輸液を点滴した患者の移動が安全かつ省力適に行えるようになる。
【００１５】
また、チャッキング部材の差込み筒を長く設定することにより大きな拡径量を確保でき、内径の異なるパイプ構成物の縦孔に対して固定できるので、取付け対象となるパイプ構成物の種類が広範になる。
【発明を実施するための最良の形態】
【００１６】
以下、この発明の実施の形態を添付図面に基づいて説明する。
【００１７】
図１のように、点滴用容器の取付け具１は、略直角の伏倒Ｌ状に形成された取付け具本体２と、この取付け具本体２の垂直側の下端部に設けられ、パイプ構成物の垂直パイプや縦孔に対して上部から抜き差し自在となる固定機構３と、前記取付け具本体２の水平側の先端部に設けられ、点滴用容器を挟持する取付け機構４で形成されている。
【００１８】
上記取付け具本体２は、ステンレス等の金属パイプを用いて略直角に折り曲げ加工され、その下端部に設けた固定機構３は、取付け具本体２の下端部に同軸心状に突設固定した螺軸５と、前記螺軸５に外嵌螺合し、回動によって上下動するナット部材６と、前記螺軸５の下端部に取付けた拡張子７と、前記螺軸５の拡張子７とナット部材６の間に上下動自在となるよう取付けられたチャッキング部材８とで形成され、前記チャッキング部材８に対して拡張子７が上昇することでこのチャッキング部材８が拡径するようになっている。
【００１９】
上記ナット部材は、図２のように、上半部が取付け具本体２の下端部に移動可能に外嵌する縦孔９を有し、下半部が螺軸５に螺合するねじ孔１０を有する上下に長い円軸状に形成され、上下動させるための回動操作が手で握って円滑に行えるようになっている。
【００２０】
また、チャッキング部材８は、金属材を用い、頭部１１がナット部材６と略同様の外径を有する円板状で、軸心に螺軸へ外嵌する透孔１２が設けられ、この頭部１１の下面で透孔１２の周囲から円筒状の差込み筒１３が一体に設けられ、この上下に長い差込み筒１３が拡張子７より少し小径の内径とパイプ構成物Ａの垂直パイプや縦孔Ｂに差し込むことのできる外径を有し、軸方向全長に渡って設けた切れ目１４によって複数の弾性片１５に分割されている。
【００２１】
上記螺軸５の下端に固定した拡張子７は、下端の最大径が差込み筒１３の内径より少し大径のテーパー状に形成され、チャッキング部材８の差込み筒１３をパイプ構成物Ａの垂直パイプや縦孔Ｂ内に挿入して頭部１１を垂直パイプや縦孔Ｂを設けた部分の上端に当接させた状態で、ナット部材６をねじ込み方向に回すと、チャッキング部材８を反力として、取付け具本体２と共に拡張子７が上昇し、垂直パイプや縦孔Ｂ内で弾性片１５の配置径を拡径することでパイプ構成物Ａに対する固定が得られることになる。
【００２２】
上記点滴用容器Ｃの取付け機構４は、図３と図４に一例を示すように、前記取付け具本体２の先端部に、内部が中空で先端が開放するベース部材１６を水平に固定し、このベース部材１６に左右一対となる掴持片１７と１８を枢止ピン１９で水平方向に開閉自在となるよう取付け、この掴持片１７と１８にばね２０で常時開く方向の弾性を付勢し、前記ベース部材１６の両側に、ねじ込みによって両掴持片の間隔を閉じるためのビスを用いた固定具２１、２１を螺装し、左右一対となる掴持片１７と１８間に点滴用容器Ｃを差込み、固定具２１、２１で両掴持片１７と１８を閉じることで点滴用容器Ｃを挟持するようになっている。
【００２３】
なお、取付け具本体２は、水平部分又は垂直部分を伸縮自在の構造にしてもよく、また、パイプ構成物Ａは図５の場合、搬送用の車輪２２を備えたベッドを示し、このベッドを構成する適所の垂直パイプや適所に設けた縦孔に取付け具１を取付けるようにしたが、他のパイプ構成物として、車椅子等を挙げることができる。
【００２４】
この発明の点滴用容器の取付け具１は、上記のような構成であり、輸液を点滴した患者をベッドや車椅子を用いて移動させるとき、このベッドや車椅子の垂直パイプや適所に設けた縦孔に取付け具１を取付ける。
【００２５】
取付け具１をベッドや車椅子等のパイプ構成物Ａに取付けるには、取付け具本体２の螺軸５に対してナット部材６を上昇位置にした状態で、チャッキング部材８の差込み筒１３をベッドや車椅子の垂直パイプや適所に設けた縦孔Ｂに挿入する。
【００２６】
このとき、チャッキング部材８の差込み筒１３は、図２（ａ）のように、その下端部が拡張子７に緩く外嵌してストレートに近い状態であり、ベッドや車椅子の垂直パイプや縦孔Ｂに対して抵抗なく挿入することができ、垂直パイプや縦孔Ｂに差込み筒１３を挿入すると、頭部１１が垂直パイプの上端や縦孔Ｂの形成部分の上面に当接して位置が決まる。
【００２７】
この状態でナット部材６を回転させて下方に移動させると、その下面が頭部１１上に当接し、更にナット部材６を回動させると、ナット部材６と螺軸５の送り作用で、図２（ｂ）のように、取付け具本体２と拡張子７が上昇し、差込み筒１３内を拡張子７が上昇することで弾性片１５が押し広げられ、垂直パイプ内や縦孔Ｂ内で弾性片１５の配置が拡径して圧接することで、パイプ構成物Ａに対する取付け具本体２の固定が得られることになる。
【００２８】
次に、取付け具本体２の先端に設けた取付け機構４の掴持片１７と１８間に点滴用容器Ｃを差込み、図４のように、固定具２１、２１で両掴持片１７と１８を閉じることで点滴用容器Ｃを挟持すれば、図５に示すように、パイプ構成物Ａに対する点滴用容器Ｃの取付けが行え、このように、パイプ構成物Ａに取付け具１を取付けてこれに点滴用容器Ｃを装着すれば、患者を運ぶベッドや車椅子と点滴用容器Ｃが一体化し、輸液を点滴した患者の移動時に人が点滴スタンドを持ち運ぶ必要がなくなり、輸液を点滴した患者の移動が安全かつ省力適に行えるようになる。
【００２９】
また、固定機構３におるチャッキング部材８の差込み筒１３を上下に長く設定することにより大きな拡径量を確保でき、パイプ構成物Ａの垂直パイプや縦孔Ｂはメーカや機種によって多少の寸法差はあるが、差込み筒１３の外径を最小径の垂直パイプや縦孔に適合するように設定しておけば、それより大径の垂直パイプや縦孔に対しても固定できるので、取付け対象となるパイプ構成物Ａの種類が広範になる。
【図面の簡単な説明】
【００３０】
【図１】（ａ）は点滴用容器の取付け具の正面図、（ｂ）は（ａ）の矢印ｂ−ｂに沿った取付け機構の拡大した平面図
【図２】（ａ）は固定機構の固定前の状態を示す拡大した縦断面図、（ｂ）は固定機構の固定状態を示す拡大した縦断面図
【図３】取付け機構の要部を切り欠いた拡大平面図
【図４】点滴用容器を挟持した取付け機構の斜視図
【図５】点滴用容器の取付け具を用いてベッドに点滴用容器を取付けた斜視図
【符号の説明】
【００３１】
１        点滴用容器の取付け具
２        取付け具本体
３        固定機構
４        取付け機構
５        螺軸
６        ナット部材
７        拡張子
８        チャッキング部材
９        縦孔
１０      ねじ孔
１１      頭部
１２      透孔
１３      差込み筒
１４      切れ目
１５      弾性片
１６      ベース部材
１７      掴持片
１８      掴持片
１９      枢止ピン
２０      ばね
２１      固定具
【図１】
2007301072.tif 000003
【図２】
2007301072.tif 000004
【図３】
2007301072.tif 000005
【図４】
2007301072.tif 000006
【図５】
2007301072.tif 000007